(57)【要約】【課題】  粘着式のクリーナにおいて、カッター付きのクリーナを低コストで提供する。【解決手段】  両持ちのホルダー２において、ロール紙１０の両端を支持するためのローラ７ａおよび７ｂのシャフト３ａおよび３ｂにカッター２０を装着する。カッター２０を回転できるので、カッター２０のブレード２３がハンドル５の近い位置にセットするとロール紙１０のシート１２をカットでき、反対側にセットすると、カッター２０をスタンドとして使用してロール紙１０を含めてホルダー２を床などから支持できる。【選択図】        図１
2006288605.tif 000002
【特許請求の範囲】
【請求項１】
表面が粘着面となったシートが巻かれたロール紙を保持するためのローラと、
前記ローラを、シャフトを介して回転可能に支持するアームと、
前記ローラの両側において、前記シャフトに装着されたカッターとを有するホルダー。
【請求項２】
請求項１において、前記カッターは、前記シャフトに取り付けられた左右の支持部を具備するフレームと、
前記ロール紙を横断するように延びた刃先を具備するブレードであって、前記フレームに対し弾性部材を介して支持され、押されると前記刃先が前記ロール紙に付くブレードとを備えている、ホルダー。
【請求項３】
請求項２において、前記ローラは、前記ロール紙に対し両側から取り付けられる左右のローラ部分に分かれ、
前記アームは、前記左右のローラ部分を、左右の前記シャフトを介してそれぞれ支持する左右の先端部分を備えており、
前記左右の支持部は、前記左右のシャフトに取り付けられている、ホルダー。
【請求項４】
請求項２において、前記ローラは、前記アームに片持ち支持されており、
前記左右の支持部の内、反支持側の支持部は、前記シャフトに対して着脱可能に取り付けられている、ホルダー。
【請求項５】
請求項２において、前記支持部は前記シャフトに対し回転可能に取り付けられており、前記ロール紙をカットするためのカット位置で、前記アームと係合して停止する、ホルダー。
【請求項６】
請求項５において、前記支持部は、前記カット位置のほぼ反対側のスタンド位置で、前記アームと係合して停止し、さらに、接地することにより前記ロール紙を浮かした状態で支持するスタンド部分を具備する、ホルダー。
【請求項７】
請求項２において、前記ブレードは、前記ロール紙に設けられた穴または凹みと係合して前記ロール紙の回転を停止できるストッパを具備する、ホルダー。
【請求項８】
請求項７において、前記ブレードは、前記ストッパを左右の少なくともいずれかに旋回して前記刃先から離す機構を備えている、ホルダー。
【請求項９】
表面が粘着面となったシートが巻かれたロール紙を保持するためのローラと、前記ローラを、シャフトを介して回転可能に支持するアームとを有するホルダーの、前記ローラの両側において、前記シャフトに装着されるカッターであって、
前記シャフトに対し回転可能に取り付けられた左右の支持部を具備するフレームと、
前記ロール紙を横断するように延びた刃先を具備するブレードであって、前記フレームに対し弾性部材を介して支持され、押されると前記刃先が前記ロール紙に付くブレードとを有するカッター。
【請求項１０】
請求項１に記載のホルダーと、前記ホルダーに保持された前記ロール紙とを有する粘着式のクリーナ。
【発明の詳細な説明】
【技術分野】
【０００１】
本発明は、表面が粘着面となったシートが巻かれたロール紙をホルダーに装着して清掃する粘着式のクリーナおよびホルダーに関するものである。
【背景技術】
【０００２】
表面が粘着面となったロール紙（テープ）を転がしながら、その表面の粘着力を利用してゴミを取る粘着式クリーナ、カーペットクリーナまたはロール紙クリーナと称される清掃用具が知られている。このクリーナにおいては、ロール紙を、その表面がカーペットや床面などの清掃すべき箇所に接し、転がすことにより種々のゴミを除去できる。特に、犬や猫などのペットの毛、髪の毛、糸などの吸引式の掃除機では取り除き難いゴミでも、粘着性の利点を活かして簡単に採取できる。さらに、吸引式の掃除機のように電力も不要なので経済的であり、家庭やオフィスをはじめ多くの場所において手軽に利用されている。
【０００３】
この粘着式のクリーナにおいては、ゴミがある程度、ロール紙に付着すると、ロール紙の表面の粘着力が弱まる。その場合は、ロール状あるいはテープ状に巻かれたシートを１周分だけ剥がして使用済みのシートとして分断することにより、十分な粘着力のある未使用のシートをロール紙の表面にして、リフレッシュできる。この作業により、ロール紙の表面が再び十分な粘着力のある面となるので、再びロール紙表面でゴミを効率良く採取できる。
【０００４】
使用済みのシートを手軽にカットするには、カッターを使用することが望ましい。実開平７−４４００１号公報には、粘着シートを紙幅方向に真直ぐにカットするカッターを設けた粘着式クリーナが開示されている。この粘着式クリーナにおいては、カッターは、本体、すなわち、手で把持するクリーナの柄の部分に取り付けられ、本体のカッター動作部により操作できるようになっている。
【特許文献１】実開平７−４４００１号公報
【特許文献２】特開２００２−１７６５０号公報
【発明の開示】
【発明が解決しようとする課題】
【０００５】
粘着シートを所望の位置でカットするためにカッターを使用することが望ましい。しかしながら、クリーナにカッターを装着しようとすると、構造が複雑になって、コストアップになる。特に、実開平７−４４００１号公報に開示されているカッターのように、カッターの刃先をロール紙に押し付けるようにしてカットするタイプのカッターは便利であるが構造が複雑になる。
【０００６】
一方、特開２００２−１７６５０号公報には、支持アームにカッターを固定して、粘着ロールから繰り出された粘着シートをカットする刃を備えたものが開示されている。このカッターは刃先を動かさないので構造は簡単であるが、繰り出した粘着シートをカットして、余った粘着シートを再びロールに戻すという作業が必要になり、使いやすいとは言えない。さらに、刃先が把手の方向を向くので安全とは言えない。したがって、カッター付きの粘着クリーナは、未だに普及するに至っていない。
【０００７】
そこで、本発明においては、簡易な機構で、従来の粘着式クリーナの構造を変えずに、簡単に装着できるカッターおよびカッター付きのホルダーを提供することを目的としている。
【課題を解決するための手段】
【０００８】
本発明においては、ロール紙を保持するためのローラのシャフトにカッターを装着したホルダーを提供する。すなわち、本発明のホルダーは、表面が粘着面となったシートが巻かれたロール紙を保持するためのローラと、このローラを、シャフトを介して回転可能に支持するアームと、ローラの両側において、シャフトに装着されたカッターとを有する。ローラの両側でシャフトに装着することにより、カッターをロール紙の近傍に配置できる。それと共に、カッターは、両持ちの形態になるため、ある程度、柔軟な構造であってもロール紙を横断する方向に延ばすことができる。例えば、カッターは、ある程度柔軟な素材、例えばプラスチックによる一体成形品または単独で組み立てられた製品（部品）として提供できる。したがって、カッターがスライドするような機構でなくても手で押しただけで刃の部分が変形してロール紙に付くようにすることができる。
【０００９】
さらに、カッターが柔構造であると、ローラの両側においてカッターを支持しても、ローラに対してロール紙を着脱できる。ロール紙を両方のローラで挟みこむように保持する、いわゆる、両持ちのホルダーであれば、ロール紙を両方のローラに着脱するときにアームを曲げて両方のローラの距離を開ける必要があり、カッターが柔構造であればアームと共に曲げることができる。ローラがアームに片持ち支持されたシャフトで連結されている、いわゆる、片持ちのホルダーであれば、カッターの少なくとも一部を曲げることにより、反支持側がシャフトから外れて、ローラにロール紙をセットすることができる。
【００１０】
本発明のホルダーにおいて、カッターは、ローラのシャフトに取り付けるタイプなので、両持ちのホルダーに対しても、片持ちのホルダーに対しても取り付けでき、さらに、既存のホルダーのデザインを変更しなくてもカッターを取り付けることができる。したがって、カッターを別部品として供給し、ホルダーを組み立てるときにシャフトに装着することができる。また、シャフトの部分が簡単に分解組立できるのであれば、本発明のカッターを市販することにより、ユーザが既存のホルダーに組み付けることも可能である。
【００１１】
本発明のカッターは、独立した部品として提供でき、独立した部品として装着できる。したがって、ホルダーのデザインを変更する必要がないので低コストにカッティング機能を備えたホルダーを提供できる。さらに、ホルダーと同じプラスチックあるいは他の弾性のある素材でカッターを製造できるので、カッター自身も低コストで供給できる。
【００１２】
ローラの両側においてシャフトに装着可能なカッターの１つの形態は、シャフトに取り付けられた左右の支持部を具備するフレームと、ロール紙を横断するように延びた刃先を具備するブレードであって、フレームに対し弾性部材を介して支持され、押されると刃先がロール紙に付くブレードとを備えているものである。ローラの左右に装着される支持部は、ローラとアームとの間に装着できるようなプレート状であることが望ましい。ローラが、ロール紙に対し両側から取り付けられる左右のローラ部分に分かれており、アームは、左右のローラ部分を、左右のシャフトを介してそれぞれ支持する左右の先端部分を備えている、両持ちタイプのホルダーにおいては、カッターの左右の支持部は、左右のシャフトに取り付けられる。また、ローラがアームに片持ち支持されている、片持ちタイプのホルダーにおいては、カッターの左右の支持部の内、反支持側の支持部は、シャフトに対して着脱可能に取り付けられる。
【００１３】
本発明のカッターのフレームの最も簡単な構成は、左右の支持部であり、左右の支持部から板ばね状、蛇腹状などの弾性部材を介してブレードを支持できる。ブレードと平行に左右の支持部を接続する構造体を設けて強度を上げることも可能である。フレームとブレードとを接続する弾性部材を利用して、ブレードを指先で押したときだけ、刃先がロール紙の表面に接し、ブレードから指先を離すと刃先が離れる機能を持たせることができる。
【００１４】
さらに、本発明のカッターは、シャフトに装着されるので、シャフトを中心に回転できるという大きな特徴を備えている。したがって、本発明のカッターは、ロール紙のカッティングのみならず、ロール紙を、その表面が接地しないように床などに対して支持するスタンドとしても使用できる。すなわち、本発明のホルダーにおいて、フレームの支持部は、シャフトに対して回転可能に装着されることが望ましく、さらに、支持部は、ロール紙をカットするためのカット位置で、アームと係合して停止することが望ましい。
【００１５】
カット位置以外の適当な角度、例えば、ハンドルに対して９０度の位置に支持部を回転させれば、支持部をスタンドとして機能させることができる。支持部が、カット位置のほぼ反対側の位置は、アーム、および、アームの先に繋がったハンドルも含めてホルダー全体を支持できるのでスタンド位置として好適である。したがって、この位置で支持部がアームと係合して停止し、さらに、接地することによりロール紙を浮かした状態で支持するスタンド部分を備えていることが望ましい。また、ロール紙を回転させて掃除をするときには邪魔にならず、スタンド位置で、スタンド部分を拡幅できる機構を備えていることが望ましい。
【００１６】
ロール紙をカッターで切断するときは、無駄を省くために一周分を精度良くカットできることが望ましい。ブレードに、ロール紙に設けられた穴または凹みと係合してロール紙の回転を停止できるストッパを設けることにより、常に同じ位置（角度）でロール紙の回転を止めることができるので、その位置でカットすることで一周分を精度良く除去できる。一方、ストッパは、穴または凹みのないロール紙には無効であり、カットするときに邪魔になる。したがって、ストッパを退避できる構造を設けておくことが望ましい。ブレードに、ストッパを左右の少なくともいずれかに旋回して刃先から離す機構を設けることによりストッパを退避できる。さらに、退避したストッパの先端をロール紙の先端を剥がすために使用することができる。
【００１７】
このように、本発明においては、低コストで使い勝手が良く、既存のデザインのホルダーに装着できるカッターを提供している。さらに、このカッターはシャフトに対して回転するので、スタンドとしても機能し、ロール紙を使用しないときに適当な場所にホルダーを立てておくことができる。したがって、本発明のカッターを採用することにより、カッター付きのホルダーにロール紙を保持した、使いやすい粘着式のクリーナを提供できる。
【発明を実施するための最良の形態】
【００１８】
図１に、本発明に係るクリーナ１を、ロール紙１０とホルダー２とに分けた状態で示してある。このクリーナ１は、粘着性の表面１１を備えたロール紙１０をホルダー２に装着し、ロール紙１０を転がしながら移動することにより、ごみを粘着させて除去する粘着式のクリーナである。ロール紙１０には、粘着性の表面１１を備えたシート１２が円筒状の芯１３に巻かれており、ごみが付着したシート１２を一周分だけ剥がして捨てることにより、新しい粘着性の表面１１をロール紙１０の表に出すことができる。
【００１９】
ホルダー２は、棒状のハンドル５と、ハンドル５の前方５ａが２股に分かれて略Ｔ字型に左右に先端が別れたアーム６ａおよび６ｂとを備えており、全体がＴ字型またはＹ字型になっている。このホルダー２は、いわゆる、両持ちと称されるホルダーであり、左右に分かれたアームの先端６ａおよび６ｂには、左右のシャフト３ａおよび３ｂにより、円筒状のローラ７ａおよび７ｂが向かい合うように回転可能に取り付けられている。ホルダー２は、これらのローラ７ａおよび７ｂをロール紙１０の両端に挿入し、左右のシャフト３ａおよび３ｂによりロール紙１０の両端を回転可能に保持する。
【００２０】
ホルダー２は、全体が弾性のあるプラスチックにより成形されている。したがって、左右のアーム６ａおよび６ｂを外側に曲げるように変形させて、ローラ７ａおよび７ｂを外側に旋回し、ローラ７ａおよび７ｂの距離を開けることによりロール紙１０を交換できる。ローラ７ａおよび７ｂをロール紙１０の両端に挿入したまま、ローラ７ａおよび７ｂをアーム６ａおよび６ｂから外すようにして、ロール紙１０をホルダー２に対して着脱し、取替えできるようにすることも可能である。さらに、ホルダー２の左右のシャフト３ａおよび３ｂには、アーム６ａおよび６ｂと同様に変形できる程度に柔軟な構造に、プラスチックを用いて成形されたカッター２０が装着されている。
【００２１】
図２に、ホルダー２からカッター２０を外した状態を示してある。カッター２０を取り除いたホルダー本体２ａは、粘着式のロール紙１０を両持ちで保持するために市販されているホルダーと共通する構成である。そして、本例のカッター２０は、ホルダー本体２ａのシャフト３ａおよび３ｂを用いて装着できる。したがって、本例のカッター２０は、ローラ７ａおよび７ｂを組み立てるときに、ホルダー本体２ａに取り付けでき、簡単にカッター付きのホルダーを製造できる。さらに、市販されているホルダーのローラ７ａおよび７ｂが簡単に着脱できるようであれば、市販されたカッター２０をユーザが購入して、シャフト３ａおよび３ｂに取り付けることが可能である。
【００２２】
本例のカッター２０は、左右のローラ７ａおよび７ｂの外側（アーム６ａおよび６ｂの側）において、左右のシャフト３ａおよび３ｂに取り付けられ、ローラ７ａおよび７ｂの半径方向に延びた左右の支持プレート２１ａおよび２１ｂを備えている。カッター２０は、これらの支持プレート２１ａおよび２１ｂをフレーム２２とし、支持プレート２１ａおよび２１ｂに板ばね状の連結部材２９を介して両端がそれぞれ支持されたブレード２３を備えている。ブレード２３は、ロール紙１０を横断するように延び、ロール紙１０に面した側が刃先２４となっている。そして、ブレード２３を、連結部材２９の弾性に逆らうように指で押すと、ロール紙１０の表面１１に刃先２４が接する位置へ移動し、指を離すと刃先２４が表面１１から離れた位置へ戻るようになっている。
【００２３】
ブレード２３の右側の端には、ロール紙に設けられた穴と係合してロール紙の回転を停止できるストッパ２５が取り付けられている。ブレード２３にはストッパ２５を旋回するための溝２６が設けられており、ストッパ２５が不要な場合は、右側に旋回して刃先２４から離すことができるようになっている。
【００２４】
このカッター２０は、支持プレート２１ａおよび２１ｂが、シャフト３ａおよび３ｂに対し、それぞれシャフト３ａおよび３ｂを中心に回転できるように装着されている。支持プレート２１ａおよび２１ｂは、アームの左右の先端６ａおよび６ｂと係合する位置で止まり、カッター２０がハンドル５に近いカット位置と、カット位置とは反対側のスタンド位置に固定できる。
【００２５】
図３に、カッター２０をカット位置にセットした状態のクリーナ１を示してある。クリーナ１では、カッター２０を備えたホルダー２のローラ７ａおよび７ｂに、ロール紙１０がセットされている。図４には、カッター２０が取り付けられたシャフト３ａおよび３ｂの周辺をホルダー２の構造を拡大して断面で示してある。左右のアームの先端６ａおよび６ｂは左右のシャフト３ａおよび３ｂが取り付けられ、これらのシャフト３ａおよび３ｂにより、対峙する左右のローラ７ａおよび７ｂが回転可能に支持されている。これらのローラ７ａおよび７ｂにより、ロール紙１０のコア１３の両端を挟み込むことにより、ロール紙１０をホルダー２に回転可能に保持できる。左右のシャフト３ａおよび３ｂには、左右のアームの先端６ａおよび６ｂとローラ７ａおよび７ｂとの間に、支持プレート２１ａおよび２１ｂがそれぞれ回転可能に取り付けられている。
【００２６】
支持プレート２１ａおよび２１ｂは、アームの先端６ａおよび６ｂと係合することにより幾つかの位置で止まる。支持プレート２１ａおよび２１ｂが停止する１つの位置は、ブレード２３がホルダー２のハンドル５から操作しやすいカット位置である。このホルダー２においては、ハンドル５からＴ字状にアーム６ａおよび６ｂが伸びており、支持プレート２１ａおよび２１ｂがアームの先端６ａおよび６ｂと略平行になる位置で止めると、ハンドル５の近傍のカット位置でブレード２３をセットできる。このカット位置では、ユーザは、ハンドル５を握った状態で親指を伸ばしてカッター２０のブレード２３を押すことにより、刃先２４をロール紙１０の表面に付けることができる。
【００２７】
支持プレート２１ａおよび２１ｂが止まる他の位置の１つはスタンド位置である。カッター２０は、図４に、破線で示すように、カット位置に対して約１８０度回転させると、支持プレート２１ａおよび２１ｂは、アームの先端６ａおよび６ｂと再び略平行になり、その位置で停止できる。図５に示すように、このスタンド位置では、支持プレート２１ａおよび２１ｂは、ホルダー２のハンドル５とほぼ一直線になる。したがって、支持プレート２１ａおよび２１ｂの先端２１ｃを床９に接地することにより、ロール紙１０に加えて、ホルダー２のハンドル５を含めて支持プレート２１ａおよび２１ｂにより床９から支持することができる。この状態でクリーナ１を立てて置くと、ユーザがクリーナ１を使いたいときは、上に向いているハンドル５を簡単に把持することができる。また、クリーナ１は、ハンドル５が上方に伸びた状態で立てて収納できるので、スペースを取らず、卓上にも置きやすい。
【００２８】
支持プレート２１ａおよび２１ｂは、シャフト３ａおよび３ｂを中心に旋回できるので、カット位置から外した他の位置でもスタンドとして使用することができる。例えば、カット位置から約９０度回すと、ハンドル５に対してほぼ垂直になるので、ハンドル５と、支持プレート２１ａおよび２１ｂによりロール紙１０が床９に着かないように支持できる。
【００２９】
支持プレート２１ａおよび２１ｂと、アームの先端６ａおよび６ｂとを係合する方法はいくつかある。カッター２０およびホルダー２は共にプラスチックの成形品なので相互にある程度弾性的に変形する。したがって、支持プレート２１ａおよび２１ｂの外側の寸法を、アームの先端６ａおよび６ｂの間の寸法よりも、若干プラス公差で成形し、支持プレート２１ａおよび２１ｂをアーム６ａおよび６ｂの間に押し込むようにしてカッター２０を固定しても良い。支持プレート２１ａおよび２１ｂの外側に、アームの先端６ａおよび６ｂの内側と部分的に係合するような凹凸を設けておくと、弱い力で確実にカッター２０を固定できる。支持プレート２１ａおよび２１ｂを適当な部材で繋いでフレーム２０の強度を向上する場合は、その部材にアームの先端あるいは他の部分と係合する構造を設けても良い。
【００３０】
図６から図９に、カッター２０を使う様子を示してある。なお、これらの図は、図３に示すクリーナ１を右側から見た状態を示しているが、右側の支持プレート２１ｂの動きが分かり易いように、右側のアーム６ｂを除いた状態で示してある。図６は、カッター２０のブレード２３をハンドル５に近い位置（カット位置）にセットした状態を示してある。この位置で、支持プレート２１ａおよび２１ｂを、アームの先端６ａおよび６ｂと係合させて止めることができる。ユーザは、ハンドル５を把持した状態で親指などを伸ばせばブレード２３を押すことができる。ブレード２３を押さなければ、板ばね状の連結部分２９の弾性によりカッター２０の刃先２４はロール紙１０の表面１１から離れている。したがって、ハンドル５を持ってロール紙１０を床などに接して回転させることにより、床のごみをロール紙１０の表面に付着させて除去できる。本例のカッター２０の支持プレート２１ｂは、折りたたみ式の脚部２８を備えており、折り畳んだ状態であれば、支持プレート２１ｂの幅はアーム６ｂの幅とほぼ同じであり、ロール紙１０を転がして清掃する際に支持プレート２１ｂが邪魔になることはない。反対側の支持プレート２１ａにおいても同様であり、以降においても特に記載しないかぎり、左側の支持プレート２１ａは右側の支持プレート２１ｂと同様の構成である。
【００３１】
図７は、ブレード２３を押して粘着シート１２をカットする状態を示している。ブレード２３を押しながら、ロール紙１０の粘着シート１２の端を持って引いてロール紙１０を回転させると、ブレード２３から下方に突き出たストッパ２５がロール紙１０の表面１１に接し、カッターの刃先２４は浮いた状態でロール紙１０が回転する。ストッパ２５の位置に、ロール紙１０に予め設けられた穴１５が来ると、ストッパ２５が穴１５に入り、ロール紙１０の回転が止まる。それと共に、カッター２０の刃先２４がロール紙１０の表面１１に押し付けられるので、その位置で、カッター２０の刃先２４を使ってロール紙１０のシート１２をカットできる。ストッパ２５とロール紙の穴１５とが噛み合う位置で必ずカットできるので、ロール紙１０の表面１１にごみが付いたときにロール紙１０の一周分のシート１２をコンスタントにカットすることができ、経済的である。さらに、カッター２０でシート１２をカットできるので、途中でシート１２が斜めに裂けたり、シート１２の表面だけが剥離したりすることはない。また、ロール紙１０の側にミシン目や切れ込みなどを入れておく必要はないので、低コストのロール紙を使用して、無駄なくロール紙を使い切ることができる。
【００３２】
ストッパ２５は、ロール紙１０からシート１２を剥がすときにシート１２の先端を探すときにも使用できる。ブレード２３を押しながら、ロール紙１０を床などにつけて回転させると、上記と同様にロール紙１０の穴１５にストッパ２５が入った位置でロール紙１０が停止する。そのときのカッターの刃先２４の下がシート１２を前回切断したときの先端になっている。したがって、ブレード２３を離してロール紙１０を若干逆回しすることにより、シート１２の先端を簡単に探しだし、シート１２をロール紙１０から引き剥がすことができる。
【００３３】
図８は、穴１５のないロール紙１０ａをカッター２０によりカットする状態を示してある。上述したように、ブレード２３にはストッパ２５を右側に旋回できるように円弧状の溝２６を設けてある。ストッパ２５を右側に旋回することにより、ストッパ２５は刃先２４から離れてブレード２３の根元側に退避し、刃先２４をロール紙１０ａの表面１１に接する際に障害にならない。したがって、穴１５のないロール紙１０ａであっても、本例のカッター２０により、ユーザの希望する位置でカットすることができる。
【００３４】
本例のストッパ２５は、右側へ旋回させて退避する量を調整することにより、ブレード２３を押したときに、ロール紙１０ａの表面１１の右端に接するようにできる。ロール紙１０ａの端は、シート１２に粘着性がなく、剥がれやすいようになっている。したがって、ブレード２３を押しながらロール紙１０ａを回転させると、ストッパ２５が爪の機能を果たし、シート１２の先端を引っ掛けて剥がすことができる。したがって、穴１５のないロール紙１０ａであってもシート１２の先端を簡単に探すことができる。
【００３５】
図９は、カッター２０をスタンド位置に旋回してセットし、スタンドとして利用した状態を示してある。支持プレート２１ｂは、図６に示したカット位置からほぼ１８０度旋回することにより、再び、アームの先端６ｂと係合する。したがって、その位置（スタンド位置）でロール紙１０およびホルダー２を床９などから支持できる。支持プレート２１ｂは、折りたたみ式（旋回式）の脚部２８を備えている。したがって、脚部２８を拡げることにより、支持プレート２１ｂの先端２１ｃのスタンド部の幅を広げることができ、より安定した状態でロール紙１０およびホルダー２を支持することができる。また、脚部２８を折り畳むことにより、ロール紙１０を回転して清掃する際には邪魔にならないことは上述したとおりである。
【００３６】
このように、本例のカッター２０は、ホルダー２に対して独立した部品として提供できる。さらに、ホルダー２のシャフト３ａおよび３ｂに旋回可能に取り付けられるようになっており、上述したホルダー２に限らず、両持ちタイプと言われるホルダーであればどのようなホルダーであっても装着できる。したがって、従来のホルダーの設計を変えることなく、さらに、従来のホルダーの型を変更する必要もなく、カッター付きのホルダーとして組み立てて提供することができる。このため、低コストでカッター付きのホルダーを実現できる。さらに、ローラの部分が簡単に取り外しできるようであれば、ユーザサイドでカッターを購入してカッター付きに変更できる。したがって、カッター自体を市販することも有効である。
【００３７】
さらに、カッター２０は、ロール紙１０を支持するローラ７ａおよび７ｂの両側のシャフト３ａおよび３ｂに装着するタイプなので、カッター２０をロール紙１０の近傍に配置することが極めて容易である。それと共に、カッター２０は、支持プレート２１ａおよび２１ｂによる両持ちの形態になるため、ある程度、柔軟な構造あるいは柔軟な部材を用いても、ロール紙１０を横断する方向に延びたブレード２３を支持できる。したがって、ローラ７ａおよび７ｂにロール紙１０を装着するときにアーム６ａおよび６ｂと共に曲げられる程度の柔軟性を持たせることができ、ロール紙１０の近傍に配置しても、ロール紙１０の着脱に邪魔にならないカッター２０を提供できる。さらに、カッター２０は、ある程度柔軟な素材、本例では、弾性がある樹脂あるいはプラスチックにより一体で、または複数の部品に分けて組み立てられた製品として提供されており、カッター自身の弾性を利用して、手で押しただけで刃がロール紙に付いたり離れたりするような構造を実現できる。
【００３８】
また、このカッター２０は、シャフト３ａおよび３ｂに装着されるので、シャフト３ａおよび３ｂを中心に回転できる。したがって、上述したように、カッター２０を旋回することにより、カッティングのみならず、スタンドとして使用することができる。そして、両支持プレート２１ａおよび２１ｂを接続するブレード２３、さらには、デザインによってはフレーム２２の一部としてブレード２３と平行して両支持プレート２１ａおよび２１ｂを接続する部材を備えている。したがって、それらの両支持プレート２１ａおよび２１ｂを接続する部材により両支持プレート２１ａおよび２１ｂは一括で回転するので、カッター２０のいずれか一箇所を操作するだけで、簡単に、カッター２０をカッターとしても、スタンドとしても使用できる。また、ロール紙１０によりクリーニングしているときは、このカッター２０をスタンド位置からカット位置にすることにより、カッター２０はクリーニングの邪魔にならないのみならず、カッターとして機能する。
【００３９】
図１０に、本発明に係るクリーナの異なる例を示してある。このクリーナ３１は、片持ちタイプのホルダー３２にロール紙１０を装着したものである。ホルダー３２は、棒状のハンドル３５（把手）と、ハンドル３５の前方３５ａからＣ字形あるいはフック状に延びたアーム３６と、このアーム３６に片持ちで支持され、ハンドル３５と直交する方向に延びたシャフト３３と、このシャフト３３に回転可能に取り付けられたローラ３７とを備えている。さらに、シャフト３３のローラ３７の両側にカッター２０が装着されている。
【００４０】
図１１に、ホルダー３２からカッター２０を外した状態を示してある。ホルダー３２は、カッター２０を除くと、粘着式のロール紙１０を片持ちで保持するために市販されているホルダーと共通する構成である。すなわち、ホルダー３２は、プラスチック製のハンドル３５に対し、ロール紙を片持ち状態で保持するアーム３６およびシャフト３３が金属製のパイプにより一体で取り付けられた本体部分３２ａと、プラスチック製のローラ３７とを備えている。シャフト３３にローラ３７をはめ込むことによりホルダー３２を構成できるので、低コストで製造できる。本例のカッター２０は、シャフト３３に装着するタイプなので、ローラ３７と共にシャフト３３に簡単に取り付けることができる。さらに、ローラ３７が簡単に着脱できるタイプのホルダーにおいては、カッター２０をユーザが購入して、ユーザがシャフト３３に取り付けることができる。
【００４１】
このホルダー３２に取り付けられたカッター２０は、上述したカッターと同様の構成であり、シャフト３３に回転できるように装着されたフレーム２２と、刃先２４を具備するブレード２３とを備えている。したがって、上記のホルダー２を備えたクリーナ１と同様に、本例のクリーナ３１も、カッター２０を使用して、所望の位置でロール紙１０からシート１２をカットできる。さらに、カッター２０を回転することによりスタンドとして使用することができる。
【００４２】
さらに、フレーム２２を構成する左右の支持プレート２１ａおよび２１ｂの内、支持側の支持プレート２１ａの外側（ローラ７と反対側）に、アーム３６と接触あるいは係合して支持プレート２１ａの位置を固定するための位置決めリング２１ｄが取り付けられている。また、反対側の支持プレート２１ｂには、内側（ローラ７の側）にシャフト３３の反支持側となる先端３３ｂに支持プレート２１ｂを装着するためのキャップ２１ｅが取り付けられている。このキャップ２１ｅは、シャフト３３の先端３３ｂに着脱可能なサイズとなっている。本例のカッター２０も、両側の支持プレート２１ａおよび２１ｂがシャフト３３に取り付けられた構造であり、樹脂またはプラスチックで成形され、ある程度の柔軟性を備えている。このため、ロール紙１０をローラ３７に着脱するときは、カッター２０を曲げて、アーム３６に対して反支持側の支持プレート２１ｂをシャフト３３の先端３３ｂから容易に外すことができる。
【００４３】
本発明のカッターの構成は上記に限定されるものではない。図１２に示したクリーナ５１は両持ちタイプのホルダー２に異なるタイプのカッター６０を装着している。このカッター６０も、シャフト３ａおよび３ｂに回転可能に取り付けられたフレーム２２と、そのフレーム２２により支持されたブレード２３とを備えている。このフレーム２２は、支持プレート２１ａおよび２１ｂと、これらの支持プレート２１ａおよび２１ｂを接続するビーム６２とを備えており、ブレード２３はビーム６２に対して板ばね２９により連結されている。また、支持プレート２１ａおよび２１ｂには、不図示のアームと係合するための突起６３が設けられている。ブレード２３は、実線で示したカット位置においてはブレード２３を操作する部分となり、破線で示すスタンド位置においてスタンドとして機能する脚部６８を備えている。このカッター６０を片持ちタイプのホルダー３２に取り付けることも可能である。また、カッターの刃先の形状も様々に変形できる。例えば、シートを斜めにカットしたり、山形にカットする刃先を備えたカッターであっても良い。
【００４４】
また、本発明のカッターは、ホルダーと同程度の強度を備えたプラスチックの成形品として提供することが適している。製造コストが安く、また、ホルダーのアームを広げてロール紙をセットするときにも障害とならない。他の部材、例えば、アルミニウムなどの金属によりカッターを製造することも可能である。
【図面の簡単な説明】
【００４５】
【図１】クリーナの構成を示す平面図である。
【図２】図１のクリーナのホルダーからカッターを外した状態を示す図である。
【図３】カッターをカット位置にした状態を示す図である。
【図４】カット位置のシャフトの付近の構造を拡大して示す断面図である。
【図５】カッターをスタンド位置にした状態を示す図である。
【図６】カッターの刃先が離れている状態を示す図である。
【図７】カッターによりシートをカットする状態を示す図である。
【図８】ストッパを退避させた状態を示す図である。
【図９】スタンドとして使用した状態を示す図である。
【図１０】異なるクリーナの構成を示す図である。
【図１１】図１０に示すクリーナのホルダーからカッターを外した状態を示す平面図である。
【図１２】さらに異なるクリーナの構成を示す側面図である。
【符号の説明】
【００４６】
１、３１、５１    クリーナ、  ２、３２    ホルダー
３ａ、３ｂ、３３  シャフト
５、３５    ハンドル、  ６ａ、６ｂ、３６  アーム
７ａ、７ｂ、３７    ローラ
１０    ロール紙、  １１    ロール紙の表面、  １２    粘着シート
２０、６０    カッター、  ２１ａ、２１ｂ    支持プレート
２３    ブレード、  ２４    刃先、  ２５    ストッパ
２８    脚部、  ２９    ブレードと支持プレートとの連結部
【図１】
2006288605.tif 000003
【図２】
2006288605.tif 000004
【図３】
2006288605.tif 000005
【図４】
2006288605.tif 000006
【図５】
2006288605.tif 000007
【図６】
2006288605.tif 000008
【図７】
2006288605.tif 000009
【図８】
2006288605.tif 000010
【図９】
2006288605.tif 000011
【図１０】
2006288605.tif 000012
【図１１】
2006288605.tif 000013
【図１２】
2006288605.tif 000014